(57)【要約】【課題】作業者の熟練度合いに関係なく、しかも精度良く基礎コンクリートの所定位置に設置できて、建築作業効率や土台固定強度の向上が可能となるよう、改善された建築用アンカーボルトを提供する。【解決手段】基礎コンクリートｋに植設されるボルト本体１に、基礎コンクリートｋの幅方向に沿う方向の寸法が基礎コンクリートｋの幅寸法と同寸法に設定される板材製のスペーサ２が一体的に装備されて成る建築用アンカーボルト。スペーサ２の上面にはパッキンと成るゴム板３が加硫接着される。【選択図】図４
2008121233.tif 000002
【特許請求の範囲】
【請求項１】
基礎コンクリートに植設されるボルト本体に、前記基礎コンクリートの幅方向に沿う方向の寸法が前記基礎コンクリートの幅寸法と同寸法又はほぼ同寸法に設定されるスペーサが一体的に装備されて成る建築用アンカーボルト。
【請求項２】
前記スペーサは、これに搭載される建物の土台と前記基礎コンクリートとの上下間に通気用の隙間が形成可能となるように所定厚みを有する板材によって構成されている請求項１に記載の建築用アンカーボルト。
【請求項３】
前記スペーサの上面には板状ゴムが積層されている請求項１又は２に記載の建築用アンカーボルト。
【請求項４】
前記板状ゴムは加硫接着によって前記スペーサに一体化されている請求項３に記載の建築用アンカーボルト。
【請求項５】
前記スペーサが前記ボルト本体に螺着されている請求項１〜４の何れか一項に記載の建築用アンカーボルト。
【請求項６】
前記スペーサに、基礎コンクリートの側面と互いに同一の面をなす外側面を有する側壁板が一体化されている請求項１〜５の何れか一項に記載の建築用アンカーボルト。
【請求項７】
前記側壁板に、前記基礎コンクリートを形成するための型枠材に対して前記スペーサの位置を定めるための位置定め手段が設けられている請求項６に記載の建築用アンカーボルト。
【発明の詳細な説明】
【技術分野】
【０００１】
本発明は、地面に敷設される基礎コンクリートと建物の土台とを連結すべく、基礎コンクリートに埋め込んで使用される建築用アンカーボルトに関するものである。
【背景技術】
【０００２】
住宅の一般的な建築に際しては、地面に基礎コンクリート（ベタ基礎、布基礎等）を形成し、その基礎コンクリートの上に土台を敷設してアンカーボルトで止める作業が行われる。つまり、アンカーボルトは、基礎コンクリートと建物とを一体化する重要な強度部品であるとともに、土台の基礎コンクリートに対する位置決め部材として機能するものでもある。
【０００３】
従来のアンカーボルトは、特許文献１や２において開示されるように、外観が略Ｌ字形状、Ｊ字形状、或いはＵ字形状をするものが一般的であり、雄ネジが形成されている上部が上方突出されるように下部が基礎コンクリートに埋め込まれて植設される。このように屈曲しているボルト下部が基礎コンクリートに埋設されることにより、ナット締結時の回り止め機能や上方への抜け止め機能が良好に発揮されるものとなっている。
【０００４】
アンカーボルトを基礎コンクリートに植設するには、布基礎、ベタ基礎のいずれであっても、図７に示すように、左右の型枠９，９の間にコンクリートが流入されてから、アンカーボルト２０を、そのボルト下部２０Ａａを所定位置に埋没させるとともに、ボルト上部２０Ｂの高さ位置を設定高さに合せてセットするのであり、これらの作業は建築作業者の人為作業によって行われるのが通常であった。即ち、アンカーボルトの施工精度は作業者の技量によって行われるものであるから、その熟練度合いによってはアンカーボルトの位置（前後、左右方向の位置）や高さが微妙にずれることが珍しくはなかった。尚、１０は先に地面Ｇに施工されている平面基礎（コンクリートベース）である。
【０００５】
アンカーボルトの位置ズレ等に対しては、通常は土台８のボルト貫通孔８ａの径をアンカーボルトの径よりも明確に大きい径（所謂バカ孔）として誤差を吸収する手段が採られるが、それだけでは十分でなく、土台８の設置に当ってさらに孔を大きくする面倒な現場処理が必要になることもしばしばあった。また、コーナー部等のアンカーボルト２０の位置ズレが許され難い箇所においては、図８に示すように、ボルト上部２０Ｂに外嵌される筒ボス部３１と、左右の型枠９，９の上面に跨って固定される板部３２とを固着して成る位置決め補助具３０を用いて、位置決め精度を上げる処理も行われるが、その補助具３０の設置固定も人為作業であるから、完全ではなかった。
【０００６】
土台の基礎コンクリート上への施工時にその貫通孔を穿孔し直す現場処理は、面倒であるばかりでなく建築作業効率を落すとともに、開け直す孔が大きくなると土台の強度ダウンに繋がるおそれがある。また、アンカーボルトが斜めに倒れていたりすると、土台の締結強度が所期通りに発揮され難い可能性もある。このように、アンカーボルトを基礎コンクリートに精度良く所定の位置や高さにセットするには改善の余地が残されているものであった。
【特許文献１】特開２００６−１４４２３０号公報
【特許文献２】特開平９−２９１５４２号公報
【特許文献３】特開２００３−１９３５８０号公報
【発明の開示】
【発明が解決しようとする課題】
【０００７】
本発明の目的は、アンカーボルトの基礎コンクリートへの設置に当り、作業者の熟練度合いに左右されることが無く、非熟練作業者が施工しても精度良く所定の位置に設置できて、建築作業効率や土台固定強度の向上が可能となるよう、改善された建築用アンカーボルトを開発して提供する点にある。
【課題を解決するための手段】
【０００８】
請求項１に係る発明は、建築用アンカーボルトにおいて、基礎コンクリートｋに植設されるボルト本体１に、前記基礎コンクリートｋの幅方向に沿う方向の寸法が前記基礎コンクリートｋの幅寸法と同寸法又はほぼ同寸法に設定されるスペーサ２が一体的に装備されて成ることを特徴とするものである。
【０００９】
請求項２に係る発明は、請求項１に記載の建築用アンカーボルトにおいて、前記スペーサ２は、これに搭載される建物の土台８と前記基礎コンクリートｋとの上下間に通気用の隙間１１が形成可能となるように所定厚みを有する板材によって構成されていることを特徴とするものである。
【００１０】
請求項３に係る発明は、請求項１又は２に記載の建築用アンカーボルトにおいて、前記スペーサ２の上面２Ａには板状ゴム３が積層されていることを特徴とするものである。
【００１１】
請求項４に係る発明は、請求項３に記載の建築用アンカーボルトにおいて、前記板状ゴム３は加硫接着によって前記スペーサ２に一体化されていることを特徴とするものである。
【００１２】
請求項５に係る発明は、請求項１〜４の何れか一項に記載の建築用アンカーボルトにおいて、前記スペーサ２が前記ボルト本体１に螺着されていることを特徴とするものである。
【００１３】
請求項６に係る発明は、請求項１〜５の何れか一項に記載の建築用アンカーボルトにおいて、前記スペーサ２に、前記基礎コンクリートｋの側面１４とと互いに同一の面をなす外側面６Ａを有する側壁板６が一体化されていることを特徴とするものである。
【００１４】
請求項７に係る発明は、請求項６に記載の建築用アンカーボルトにおいて、前記側壁板６に、前記基礎コンクリートｋを形成するための型枠９に対して前記スペーサ２の位置を定めるための位置定め手段７が設けられていることを特徴とするものである。
【発明の効果】
【００１５】
請求項１の発明によれば、建築用アンカーボルトのボルト本体には、基礎コンクリートの幅寸法と同寸法又はほぼ同寸法の幅を持つスペーサが一体化されているので、左右の型枠の間に流動状態のコンクリートを流し込んで基礎コンクリートを形成するに当っては、それら型枠間にスペーサが嵌るようにアンカーボルトを施工するだけで、ボルト本体の基礎コンクリートの幅方向に対するセット位置（例えば、基礎コンクリートの幅方向の中央位置）が定まるようになる。その結果、アンカーボルトの基礎コンクリートへの設置に当り、作業者の熟練度合いに左右されることが無く、非熟練作業者が施工しても精度良く所定の位置に設置できて、建築作業効率や土台固定強度の向上が可能となるよう、改善された建築用アンカーボルトを提供することができる。
【００１６】
請求項２の発明によれば、スペーサが板材であるから、水平面状に置くといった具合の基礎コンクリート上での載置精度が出し易い利点がある。そして、スペーサを所定の厚みのものとして、建物の土台と基礎コンクリートとの上下間に通気用の隙間が形成可能とされているので、基礎コンクリートに専用の通気孔を形成するとか、基礎コンクリートと土台との上下間隙を確保する専用の部材を別途用意することなく、建物床下の換気用スペースとして有効に活用できる仕様を経済的に提供することが可能になる。
【００１７】
請求項３の発明によれば、スペーサの上にゴム板が積層されているので、ゴム板が建物の重みによって弾性変形して介装されるようになり、スペーサと土台との間を密封させるパッキンとして機能させることが可能となる合理的な建築用アンカーボルトを提供することができる。この場合、ゴム板の厚み設定如何により、土台と基礎コンクリート間の換気用スペースの開口面積の調節が可能になるとか、ある程度厚くして防振機能が備わるようにすることが可能になるといった付随効果もある。
【００１８】
請求項４のように、ゴム板をその必須の成形工程である加硫工程を利用して、スペーサに加硫接着によって一体化させるという経済的で効率の良い作成手段を採ることが可能であり、請求項５のように、ボルト本体とスペーサとを螺着するようにすれば、溶接等の手間の掛る手段を用いることなく簡単に一体化できる利点がある。
【００１９】
請求項６の発明によれば、基礎コンクリートの側面と互いに同一の面をなす外側面を有する側壁板がスペーサに一体化されているので、型枠に嵌め入れることによって、ボルト本体の基礎コンクリートの幅方向での位置が定まるだけでなく、ボルト本体が垂直に向くといった具合に、ボルト本体の姿勢も定められる利点も有するものとなり、より改善された建築用アンカーボルトの提供が可能になる。この場合、請求項７のように、型枠に対する位置定め手段を側壁板に設けることにより、コンクリートの流し込みから安定硬化するまでの養生期間中においても、建築用アンカーボルトの位置や姿勢を設定通り確実に維持することが可能となる利点が得られる。
【発明を実施するための最良の形態】
【００２０】
以下に、本発明による建築用アンカーボルトの実施の形態を、図面を参照しながら説明する。図１〜図３はアンカーボルトの構造を示す一部切欠き側面図、平面図、一部切欠き正面図、図４，５はそれぞれ建築用アンカーボルトの第１，２施工方法を示す作用図、図６は実施例２の建築用アンカーボルトを示す図、図７，８はそれぞれ従来の建築用アンカーボルトの施工例を示す作用図である。
【００２１】
〔実施例１〕
実施例１による建築用アンカーボルト（以後、単に「アンカーボルト」と称する）Ａは、図１〜図３に示すように、側面視でＪ形状のボルト本体１と、下向きコ字状の正面視形状を有する金属板材製でボルト本体１に一体化されるスペーサ２と、スペーサ２の上面に積層される天然ゴム材等のゴム板（板状ゴムであり、パッキンとも呼ばれる）３とから構成されている。つまりアンカーボルトＡは、図４（ｂ）や図５（ｂ）に示すように、基礎コンクリートｋに植設されるボルト本体１に、基礎コンクリートｋの幅方向に沿う方向の寸法が基礎コンクリートｋの幅寸法Ｄと同寸法又はほぼ同寸法に設定されるスペーサ２が一体的に装備されて構成されている。
【００２２】
金属製のボルト本体１には、少なくとも頂部と上下中間部位とに雄ネジ部１ａ，１ｂが形成されており、実施例１のアンカーボルトにおいては上下の雄ネジ部１ａ，１ｂが一連いったいのものとして形成されている。ゴム板３は、加硫接着によってスペーサ２の上面２Ａに積層一体化されており、その前後左右の中央箇所には、ボルト本体１を通すためのバカ孔３ａが形成されている。ボルト本体１の下部１Ａは基礎コンクリートｋに埋め込まれる埋設部分であり、上部１Ｂが基礎コンクリートｋから上方に突出されて土台（根太）８を貫通する作用部分になる。
【００２３】
スペーサ２は、平面視の形状が矩形を呈する平板状の本体板５と、その両側に連設される左右一対の縦板（側壁板の一例）６，６とから成り、本体板５の前後左右の中央位置には、ボルト本体１の雄ネジ部１ｂに螺合する雌ネジ部４が貫通形成されている。本体板５と縦板６とは突き合せての溶着で一体化するとか、プレス成形による一枚板で成るものでも良い。尚、各縦板６，６の両端部それぞれに、止め孔（位置定め手段の一例）７が形成されていても良い。スペーサ２の幅寸法Ｗは、基礎コンクリートの幅、即ち一対の型枠９，９どうしの間隔Ｄに等しい値に設定されている（図４，５参照）。これにより、縦板６の外側面６Ａは、基礎コンクリートｋの側面１４と互いに同一の面をなすように、アンカーボルトＡが基礎コンクリートｋに植設される。
【００２４】
つまり、ボルト本体１とゴム板３付のスペーサ２とは、雄ネジ部１ｂと雌ネジ部４との螺合によって一体化されている。この場合、これら雄ネジ部１ｂと雌ネジ部４との螺合状態を、通常の螺合よりも硬いものとして、ロックナットを要することなくボルト本体１とスペーサ２とが相対係止及び維持されるように構成すれば好都合である。詳しくは後述するが、本体板５は、これに搭載される建物の土台８と基礎コンクリートｋとの上下間に通気用の隙間１１が形成可能となるように所定厚みを有する板材によって構成されている。
【００２５】
さて、アンカーボルトＡの基礎コンクリートへの施工方法（その１）について説明する。まず、図４（ａ）に示すように、一対の型枠９，９で規定される空間部に流動状態のコンクリートｋを所定高さ位置まで流し込んで充填するコンクリート充填工程を行う。尚、１０はコンクリートベース、Ｇは地面である。それから、アンカーボルトＡを上方から落とし込み移動させ、図４（ｂ）及び図４（ｃ）に示すように、一対の型枠９，９間に入れ込んで配置する。
【００２６】
スペーサ２の幅寸法Ｗと、一対の型枠９，９どうしの間隔（即ち、基礎コンクリートｋの幅寸法）Ｄとは互いに等しい（実際には、スペーサ２の幅寸法Ｗは型枠９，９の間隔Ｄよりもごく僅かに狭い）ので、左右の型枠９，９間にアンカーボルトＡを配置するだけで、ボルト本体１が基礎コンクリートｋの幅方向中央に位置し、かつ、垂直にそそり立つ植設状況を得る事が可能になる。
【００２７】
この場合、スペーサ２の下面２Ｂと基礎コンクリートｋの上面１３とが一致するようにアンカーボルトＡを配設すれば、スペーサ存在部分以外の箇所においては、ゴム板３上に搭載される土台８と基礎コンクリートｋとには寸法ｄなる上下方向の隙間１１が形成されることとなる。この隙間１１は、建物の床下空間と外部との通気用スペースとして機能させることが可能である。尚、アンカーボルトＡを強く下方に押す込み、基礎コンクリートｋにスペーサ２を沈み込ませて配置しても良く、例えば、スペーサ２の上面２Ａと基礎コンクリートｋの上面１３とが互いに同じ高さ位置となるように施工すれば、土台８を上下の隙間無く基礎コンクリートｋ上に載置する仕様が可能になる。
【００２８】
〔別施工例〕
アンカーボルトＡの基礎コンクリートへの施工方法その２について説明する。まず、図５（ａ）に示すように、スペーサ２の左右の縦板６，６それぞれの止め孔７（図１参照）に挿通される釘又はスクリュー１２を左右の対応する型枠９の外側から打ち込み（又はねじ込み）、アンカーボルトＡを所定の位置（基礎コンクリートｋの長手方向の位置）及び高さに係止する係止工程を行う。一対の型枠９，９どうしの間隔Ｄとスペーサ２の幅寸法Ｗとは互いに等しいので、スペーサ２を水平姿勢に設定すれば、ボルト本体１は基礎コンクリートｋの幅中央で、かつ、垂直にそそり立つ状態にアンカーボルトＡを配置することが可能になる。
【００２９】
次に、図５（ｂ）及び図５（ｃ）に示すように、左右の型枠９，９間にコンクリートを流し込むコンクリート充填工程を行い、スペーサ２の上面２Ａと同一の上面１３となる位置までコンクリートを充填し、基礎コンクリートｋを作成する。この場合、基礎コンクリートｋの上面１３を、スペーサ２の下面２Ｂに設定するも良い。コンクリートが硬化した後に、釘又はスクリュー１２を型枠９と共に除去する。
【００３０】
〔別実施例〕
アンカーボルトＡは、図６（ａ），（ｂ）に示すように、型枠９，９の間に丁度嵌り込むことによる位置決め精度が出易いように、スペーサ２及びゴム板３に、それらの平面視形状が中窄み状となるように長手方向の中間部に細幅部２ｈ，３ｈを設けた構造にするとか、ボルト本体１とスペーサ２とを圧入（スペーサ２にバーリング加工によるボス部２ｃを設けて圧入する等）によって一体的に結合するといった構造を採るものとしても良い。
【００３１】
ボルト本体１は、基礎コンクリートｋに埋設される部分である下部１Ａが、その下端部が横に曲げられたＬ字状のものとするほか、雄ネジを刻設するとか、波状に曲げる等、種々の構造によって回り止め部や抜け止め部とする構成が可能である。この場合、ボルト本体１には上雄ネジ部１ａのみ設ければ良い。ボルト本体１とスペーサ２とを溶着やカシメ（加締）によって一体化する構造も可能である。また、ゴム板３の無い金属製のスペーサ２のみがボルト本体１に一体化されて成るアンカーボルトＡや、平面視の形状が矩形で厚肉のゴム板のみから成るスペーサ２を螺着や加硫接着によってボルト本体１に一体してアンカーボルトＡを構成することも可能である。
【００３２】
また、スペーサ２（又は板状ゴム３付スペーサ２）に、施工時に基礎コンクリートがスペーサ２の下方に円滑に流れ込むように空気抜き孔を穿孔しておくとか、土台８の載置機能やボルト本体１の位置決め機能を損なわない範囲で、形状や大きさ厚み等の緒元を種々に変更設定することが可能である。
【図面の簡単な説明】
【００３３】
【図１】実施例１による建築用アンカーボルトを示す一部切欠きの側面図
【図２】図１の建築用アンカーボルトの平面図
【図３】図１の建築用アンカーボルトの正面図
【図４】（ａ）〜（ｃ）は、それぞれアンカーボルトの基礎コンクリートへの第１セット方法を示す作用図
【図５】（ａ）〜（ｃ）は、それぞれアンカーボルトの基礎コンクリートへの第２セット方法を示す作用図
【図６】実施例２による建築用アンカーボルトを示す一部切欠きの側面図
【図７】従来のアンカーボルトとその植設状態を示す断面図その１
【図８】従来のアンカーボルトとその植設状態を示す断面図その２
【符号の説明】
【００３４】
１          ボルト本体
２          スペーサ
２Ａ        スペーサの上面
３          板状ゴム
６          側壁板
７          位置定め手段
６Ａ        外側面
９          型枠
１３        基礎コンクリートの上面
１４        基礎コンクリートの側面
Ａ          建築用アンカーボルト
ｋ          基礎コンクリート
【図１】
2008121233.tif 000003
【図２】
2008121233.tif 000004
【図３】
2008121233.tif 000005
【図４】
2008121233.tif 000006
【図５】
2008121233.tif 000007
【図６】
2008121233.tif 000008
【図７】
2008121233.tif 000009
【図８】
2008121233.tif 000010